(57)【特許請求の範囲】
【請求項１】
原稿台と原稿台上に載置された原稿を押圧する開閉自在な押圧板と、原稿台上の原稿の画像を読取る読取手段とを備えた画像読取装置において、
押圧板の開閉状態を検出する開閉検出手段と、
開閉検出手段が押圧板の開状態を検出したとき、画像の読取処理を中断する処理を行う読取制御手段と、
開閉検出手段が前記画像の読取処理の中断中に押圧板の閉状態を検出したとき、前記読取手段を初期位置に戻し自動的に画像読取処理を行う一時停止手段と、
を設け、
開閉検出手段が前記押圧板の開状態を検出したとき、既に読取処理を終えた画像部分のデータを消去することを特徴とする画像読取装置。
【請求項２】
押圧板の開閉状態に応答して画像の読取処理を中断するか否かを予め選択できる中断選択手段を操作パネルに設けたことを特徴とする請求項１記載の画像読取装置。
【発明の詳細な説明】
【０００１】
【発明の属する技術分野】
本発明は、デジタル読み取り方式の複写機やファックス等に適用される画像読取装置に関するものである。
【０００２】
【従来の技術】
従来、画像読取装置は、複写機、プリンタ、ファクシミリ等の画像形成装置に搭載されており、原稿載置ガラス上に載せた原稿を、原稿カバーで押さえた後、スタートボタンを押して画像の読み取りが開始される。
【０００３】
しかしながら、従来の複写装置では、原稿カバーをいつでも自由に開閉できるように構成されていたため、原稿カバーが開いた状態で画像の読み取りを行ったり、あるいは画像の読み取り中に閉まっている原稿カバーを開けると、原稿がずれて画像が正しく読み取れなかったり、画像以外の部分が真っ黒に読み取られたりするなどの不都合が生じていた。
【０００４】
これに対して、例えば特開平５−６３９０４号公報の例では、原稿台の上に原稿を載せて、原稿カバーを閉めると自動的に原稿の読み取りを開始する自動スタート機能を設けた複写機が提案されている。
【０００５】
【発明が解決しようとする課題】
しかしながら、上記の公報に開示の技術では原稿カバーの開閉のみで画像の読み取り動作を開始するため、画像の読み取り中にオペレータが誤って原稿カバーを開けると、原稿がずれて画像が正しく読み取られなかったり、外部から光が入り、画像以外の部分は真っ黒に読み取られるなどのミスコピーの解決には至っていない。
【０００６】
本発明の課題は、ミスコピーを少なくしてコピー用紙の無駄を省くことである。
【０００７】
【課題を解決するための手段】
請求項１の発明は、原稿台と原稿台上に載置された原稿を押圧する開閉自在な押圧板と、原稿台上の原稿の画像を読取る読取手段とを備えた画像読取装置において、押圧板の開閉状態を検出する開閉検出手段と、開閉検出手段が押圧板の開状態を検出したとき、画像の読取処理を中断する処理を行う読取制御手段と、開閉検出手段が前記画像の読取処理の中断中に押圧板の閉状態を検出したとき、前記読取手段を初期位置に戻し自動的に画像読取処理を行う一時停止手段と、を設け、開閉検出手段が前記押圧板の開状態を検出したとき、既に読取処理を終えた画像部分のデータを消去することを特徴とする。
請求項２の発明は、請求項１記載の画像読取装置において、押圧板の開閉状態に応答して画像の読取処理を中断するか否かを予め選択できる中断選択手段を操作パネルに設けたことを特徴とする。
【００１７】
【発明の実施の形態】
以下に本発明の実施形態を図面に基づいて具体的に説明する。図１に示すように、画像形成装置としての複写機１は画像読取部（画像読取装置）３と、画像形成部５等から構成されている。
【００１８】
画像読取部３の画像読取面には、原稿を載せる原稿台７が設けられている。
【００１９】
原稿台７の下部には、原稿台７上に載せられた原稿を照明するハロゲンランプ１１と、原稿からの光を反射する第１ミラー１３とを備える第１キャリッジ９が設けられている。また、第１キャリッジ９の近傍位置には、第１ミラー１３からの光を順次反射する第２ミラー１６及び第３ミラー１７を備える第２キャリッジ１５が設けられている。第１キャリッジ９及び第２キャリッジ１５は、読取処理のために原稿台７の左右方向に駆動する。第３ミラー１７で反射された光は、レンズ１９で受光され、第４ミラー２０ａから第５ミラー２０ｂ、そして第６ミラー２０ｃを通過して画像形成部５に送られる。
【００２０】
画像形成部５は、転写紙を給紙する給紙ユニット２１、像担持体としての感光体ドラム２３、感光体２３に帯電処理を行う帯電装置２５と、現像剤により感光体２３の静電潜像をトナー像として現像する現像装置３１と、感光体２３に現像されたトナー像を転写するための転写ベルト３９と、トナー像を転写紙に転写後に感光体２３上に残留する残留トナーを除去するクリーニング装置４１、転写紙に転写されたトナー像を定着させる定着装置４３等から構成されている。
【００２１】
感光体ドラム２３には、帯電装置２５により一様に帯電された後、画像読取部３から発光される光が、第６ミラー２９により所定方向に導かれることで、画像読取部３で読み取られた画像情報に基づき走査露光されて表面に静電潜像が形成される。そして、現像装置３１で静電潜像をトナー像として現像し、転写ベルト３９を介して転写紙にトナー像を転写させる。そして、定着装置４３でトナー像を定着させた後、排紙装置から排出される。
【００２２】
図２及び図３で示すように、原稿台７の上部には原稿カバー（押圧板）２が背面側を支点として所定の範囲において回動自在にされている。
【００２３】
原稿を原稿台７にセットする際には、原稿カバー２の前面側を上方に回転させることにより、原稿台７を開放し、手動操作により原稿台７の上面に原稿を載置した後、原稿カバー２の前面側を下方に回転させることにより、原稿台７の上面を閉鎖する。
【００２４】
また、原稿台７の手前側には操作パネル４が設けられている。操作パネル４は、画像読み込みの開始をオペレータが指示するためスタートキー（画像読み取り要求）４ａ、出力される原稿サイズを指定するサイズや出力画像の倍率を指定する倍率の情報、また原稿カバー２が開いたときに警告を画面に表示させる表示画面４ｂ等から構成されている。また、本実施例では、原稿カバー２の開閉状態に応答して、画像の読取処理を中断するか否かの設定を行う読取中断設定キー４ｃが設けられている。
【００２５】
読取中断設定キー４ｃは、原稿カバー２の開閉状態に応答して画像の読取処理を中断するか否かの設定を切り替えるものである。
【００２６】
なお、画像の読取処理を中断する設定が行われている場合は表示画面４ｂ上に「中断」の文字が表示され、設定がない場合は、「中断しない」の文字が表示される。
【００２７】
また、原稿台７の背面部には、原稿カバー２の開閉状態を検知する開閉センサー（開閉検出手段）６が設けられている。開閉センサー６は、原稿台７の隅に設けられており、この開閉センサー６は原稿カバー２が接触した状態では、原稿カバー２は閉状態であると認識される。逆に、例えばオペレータの誤動作等により原稿カバー２が開けられると、検出部は原稿カバー２と非接触状態となる。この状態では原稿カバー２は開状態を検知して検知信号を発する。
【００２８】
このように、原稿台７の上面が完全に閉鎖されているか否かの状態に応じて、検出部の出力信号が変化し、検出部の出力信号のオン／オフを判別することにより、原稿カバー２が原稿台７の上面を完全に閉鎖しているか否か、即ち、画像読取部３が画像の読取りに適正な状態であるか否かを検出する。
【００２９】
本実施形態にかかる複写機１の制御部を図４に示す。
【００３０】
制御部は、ＲＯＭ４７及びＲＡＭ４９を備えたＣＰＵ４５から主に構成されている。
【００３１】
ＣＰＵ４５は、ＲＡＭ４９の所定領域を作業領域として、ＲＯＭ４７に記憶されている制御プログラムに従い、操作パネル４からのデータや、開閉センサ６等からの検出信号に基づいて、ドライバを介して第１キャリッジ９および第２キャリッジ１５の制御を行う。
【００３２】
ＲＯＭ４７には、操作パネル４から入力された各種データに基づいて、画像読取処理のための制御データを演算したり、演算された制御データに従って読取動作を行う制御プログラムが記憶されている。
【００３３】
また、ＣＰＵ４５には第１キャリッジ９および第２キャリッジ１５を左右方向に駆動操作しながら、原稿台７上の原稿の画像の読み取りを行う読取手段５１と、原稿カバー２の開閉状態に応答して画像の読取処理を中断する読取制御手段５７と、原稿カバー２の開閉状態を検知する開閉センサ６と、開閉センサ６の信号に応答して画像の読取処理を中断する制御を行う読取制御手段５７、原稿カバー２の開閉状態に応答して画像の読取処理を中断するか否かを予め設定する中断選択手段５４、原稿カバー２を開けることで、画像の読取処理を中断した際、原稿カバー２が閉まった時点で再度、自動的に画像読取処理を行う一時停止手段５３、開閉センサ６により、開状態を検知したら警告を発する警告手段５５、そして複写機１の各種操作を受け付け、また、各種メッセージを表示する操作パネル４とが接続されている。
【００３４】
次に図５を参照して本実施の形態の動作処理について説明する。オペレータは原稿台７上に原稿を所定の位置にセットする。ステップＳ１で、操作パネル４のスタートキー４ａが押されたか否か（読み取り要求を受信したか否か）を判別し、スタートキー４ａが押されたと判別された場合は、ステップＳ２へ進む。スタートキー４ａが押されない場合はこのステップＳ１を繰り返す。
【００３５】
ステップＳ２で、原稿カバー２の開閉センサー６の出力に基づき原稿カバー２が閉じた状態であるか否かを判別する。ステップＳ２において、原稿カバー２が閉じていると判別された場合は、ステップＳ５に進み、一方、原稿カバー２が閉じていないと判別された場合は、ステップＳ３へ進み、操作パネル４の表示画面４ｂ上に「原稿カバーが開いています」と警告表示される。そして、ステップＳ４に進み、再び原稿カバー２が閉じているか否かを判別し、原稿カバー２が閉じていると判別された場合には、ステップＳ５に進む。
【００３６】
ステップＳ５では読取処理を開始する。読取処理は第１キャリッジ９及び第２キャリッジ１５を初期位置から右側方向に原稿スキャンを行い、画像の情報を獲得する。ステップＳ６では、操作パネル４の読取中断設定キー４ｃにより、原稿カバー２が開いた際に読取処理を中断するモードであるか否かを判別し、読取処理を中断するように設定されていない場合はステップＳ７へ進む。ステップＳ７においては、画像の読取処理が終了しているか否か判断し、読取処理が終了している場合はステップＳ１３へ進み終了する。
【００３７】
一方、ステップＳ６において、読取中断設定キー４ｃにより、原稿カバー２が開いた際に読取処理を中断しないように設定されている場合には、ステップＳ８に進み、読取処理が終了しているか否かを判断する。読取処理が終了している場合には、ステップＳ１３にて終了する。ステップＳ８で読取処理が終了せずに、読取中の場合には、ステップＳ９に進み、原稿カバー２が閉められた状態であるか否かを判断する。原稿カバー２が閉められた状態の場合には、ステップＳ８に戻り、読取処理を続行する。
【００３８】
ステップＳ９において、原稿カバー２が開いた場合には、ステップＳ１０において開閉センサ６の出力に基づき、操作パネル４の表示画面４ｂ上に「原稿カバーが開いています。」と警告表示される。なおこの警告は、例えば音等の発生により知らせるようにしても良い。次いで、ステップＳ１１では、第１キャリッジ９及び第２キャリッジ１５の駆動動作を停止し、読取処理を中断する。この場合、すでに読取処理を終えた画像部分のデータはすべて消去される。そして、ステップＳ１２において原稿カバー２が閉じられたか否かを判断し、原稿カバー２が閉じられた場合には、ステップＳ５に戻り、第１キャリッジ９及び第２キャリッジ１５を初期位置に戻した後、画像処理動作を再開する。なお、この場合再びスタートキー４ａを押す必要はなく、自動的に読取処理を再開する。
【００３９】
以上に説明したように、画像読取部３に原稿カバー２の開閉状態を検知する開閉センサ６を設け、読取処理中に原稿カバー２が開かれると、開閉センサ６が開状態を検知して、画像の読取処理を中断する。従って、原稿カバー２が開いて原稿台７上の原稿の位置がずれたり、また余分な光が入り画像以外の部分は真っ黒に読み取られるなどのミスコピーを防ぐことができる。また、原稿カバー２が開くと操作パネル４上に警告が表示されるので、オペレータは画像処理の動作が停止した状態が、原稿カバー２が開いたことが原因であると認識ができ、適切な対応をとることが可能となる。さらに、原稿カバー２が開いたときに画像の読取処理を中断するか否かを、予め設定できるので、オペレータの使用状態に応じた適切な処理が可能となる。また、原稿カバー２を再度閉じた場合に、スタートキー４ａを再度押す必要がなく、自動的に始めから読取処理をやり直すので、利便性が良い。
【００４０】
次に、図６及び図７を参照して、他の実施の形態について説明するが、その説明にあたり、上述した部分と同様な部分には同一の符号を付することにより、その説明を省略する。
【００４１】
図６は、他の実施例における画像読取部３の制御回路の概略ブロック図を示す。制御回路は、ＲＯＭ４７及びＲＡＭ４９を備えたＣＰＵ４５から主に構成されており、ＣＰＵ４５には第１キャリッジ９および第２キャリッジ１５を左右方向に駆動操作しながら、原稿台７上の原稿の画像の読み取りを行う読取手段５１と、原稿カバー２の開閉状態を検知する開閉センサ６と、操作パネル４とが接続されている。本実施例においては、命令保留手段５９を設けた。命令保留手段５９は、原稿カバー２が開いた状態で、スタートキー４ａが押された場合に、その時点では読取処理をおこなわず、原稿カバー２が閉まった時点で、自動的に読取処理を開始するものである。
【００４２】
図７は、実施の形態における原稿読取部３の制御回路の処理手順を示すフローチャートである。ステップＳ１で、操作パネル４のスタートキー４ａが押されたか否か（読み取り要求を受信したか否か）を判別し、スタートキー４ａが押されたと判別された場合は、ステップＳ２へ進む。スタートキー４ａが押されない場合はこのステップＳ１を繰り返す。
【００４３】
ステップＳ２で、原稿カバー２の開閉センサー６の出力に基づき原稿カバー２が閉じた状態であるか否かを判別する。ステップＳ２において、原稿カバー２が閉じていると判別された場合は、ステップＳ５に進み、一方、原稿カバー２が閉じていないと判別された場合は、ステップ１４へ進み、読み取り要求を命令保留手段５９にて保存する。そして、ステップＳ４に進み、再び原稿カバー２が閉じているか否かを判別し、原稿カバー２が閉じていると判別された場合には、ステップＳ５に進み、命令保留手段５９からの信号に基づき、読取処理を開始する。ステップＳ５以下の動作については、上記で説明した実施例と同様であっても良いし、これに限定せず他の実施例によるものでも良い。また、ステップ１４において、読み取り要求を命令保留手段５９にて保存した後、そのまま読取処理をせずに終了するような構成としても良い。
【００４４】
以上に説明したように、原稿カバー２が開いている場合に、スタートキー４ａが押された場合でも、命令保留手段５９にて読み取り要求を保存し、原稿カバー２が再び閉じた際に、読取処理を開始する。従って、原稿カバー２が開いた状態では、読取処理をおこなわず、ミスコピーを防ぐことができる。
【００４５】
本発明は、上述のような実施例に限定されず、その要旨を逸脱しない範囲内において種々の変形が可能である。例えば、上記の実施例では、原稿台７に載せる原稿を厚さの薄い原稿を想定したが、書籍などの厚みのあるものをコピーする場合でも良い。この場合は、開閉センサ６は、原稿カバー２が所定の角度以上に開いた場合に画像処理を中断するようにしても良い。また、開閉センサ６は光センサーを使用したものでも良い。
【００４６】
【発明の効果】
請求項１に記載の発明では、画像の読取中に押圧板を開けると、開閉検出手段により、押圧板が開いたことを検知し、画像の読取処理を中断する。これにより、押圧板を開けた際に原稿がずれ、このずれた状態のまま読み取り処理を行ったり、また原稿台に外部から光が入りこみ、画像の周りに黒すじが生じたりする等の不適切なコピーを防ぐことができる。従って、読み取りの不具合によるコピー用紙の無駄を省くことができる。
また、画像読取中に押圧板が開くと画像の読取処理が中断し、既に読取処理を終えた画像部分のデータを消去する。そして、再び押圧板を閉めると、前記読取手段を初期位置に戻し自動的に画像読取処理を行う。従って、再度押圧板を閉めた後に、画像読取要求を行う必要がなく操作者の利便性が向上する。
【００４７】
請求項２に記載の発明では、請求項１に記載の発明と同様の効果を奏するとともに、押圧板を開けたときに画像の読取処理を中断するかどうかを予め選択できることにより、押圧板を開けた際に、読取処理を中断するか否かの両方の動作に対応することができる。
【図面の簡単な説明】
【図１】本発明に係る画像読取装置を搭載した複写機を概略的に示した断面図である。
【図２】図１における原稿台周辺を示す斜視図である。
【図３】図１における原稿台周辺を示す側面図である。
【図４】画像読取部の制御回路の概略ブロック図を示す。
【図５】画像読取部の制御回路の処理手順を示すフローチャートである。
【図６】他の実施例における画像読取装置の制御回路の概略ブロック図を示す。
【図７】他の実施例における画像読取装置の制御回路の処理手順を示すフローチャートである。
【符号の説明】
１          複写機
２          原稿カバー（押圧板）
３          画像読取部（画像読取装置）
４          操作パネル
４ａ        スタートキー（画像読み取り要求）
４ｃ        読取中断設定キー（中断選択手段）
６          開閉センサ（開閉検出手段）
７          原稿台
５１        読取手段
５３        一時停止手段
５４        中段選択手段
５５        警告手段
５７        読取制御手段
５９        命令保留手段
【図１】
0004090011.tif 000002
【図２】
0004090011.tif 000003
【図３】
0004090011.tif 000004
【図４】
0004090011.tif 000005
【図５】
0004090011.tif 000006
【図６】
0004090011.tif 000007
【図７】
0004090011.tif 000008